(57)【特許請求の範囲】
【請求項１】
特定の調理機器から発信される信号を受信する信号受信手段と、前記信号受信手段により受信した信号を、予め設定された第１の信号の形態であるか否かを判別する解析手段と、前記受信した信号が予め設定された第１の信号でない場合に、第２の信号として登録する登録手段と、登録された信号に基づいて排気用送風機のモータ及び照明器の動作に反映する制御出力を出力して、装置の運転及び停止、風量の調整、照明の点灯及び消灯を制御する制御手段と、を備え、前記制御手段は、設定されている第１の信号に加え、第２の信号を含む複数の信号を、動作を選択することにより第１の信号に対応した動作に割り当てて登録することを可能とする学習機能を持ち、登録された複数の信号のいずれかを前記調理機器から受信した場合に、個々の前記信号に応じた制御を行う換気装置。
【請求項２】
請求項１に記載の換気装置であって、登録された信号の登録削除や登録変更を可能にする機能を備えた換気装置。
【請求項３】
請求項１又は請求項２のいずれかに記載の換気装置であって、信号の登録を行った際に、登録された事項を音声で報知する機能を備えた換気装置。
【請求項４】
請求項１〜請求項３までのいずれかに記載の換気装置であって、制御手段に外部機器と接続して、通信によってその外部機器から信号の登録等の操作ができるようにした換気装置。
【発明の詳細な説明】
【技術分野】
【０００１】
本発明は、調理機器の上方に設置され、調理に付随して発生する油煙、湯気等を排出する換気装置に関するものである。
【背景技術】
【０００２】
調理に付随して発生する油煙、湯気等を排出する換気装置の中には、調理機器から発信される信号を受信して自動的に運転／停止・風量調整・照明の点灯／消灯等をするようにしたものがある（特許文献１参照）。
【０００３】
【特許文献１】特開平１０−２０５８４０号公報
【発明の開示】
【発明が解決しようとする課題】
【０００４】
調理機器と連動する従来の換気装置は、調理機器が発信する固有の信号に対応した動作が換気装置に設定してあり、該当する信号を受信した場合にのみ動作するものであり、特定の調理機器と換気装置とは切離せない関係にある。従って、調理機器を交換した場合など、調理機器から発信される信号の形態が変わると、換気装置は該当する信号を受信することができず、調理機器の操作で換気装置を制御することができなくなる。このことは、換気装置と調理機器とは個別に選定することも取替えもできないことになり、不都合が多い。
【０００５】
本発明は、上記した課題を解決するためになされたものであり、その目的とするところは、個別の調理機器が発信する固有の信号にも応じる機能を持つ、対応性のある換気装置を提供することであり、その換気装置の機能の充実を図ることである。
【課題を解決するための手段】
【０００６】
上記課題を解決するために本発明は、特定の調理機器から発信される信号を受信する信号受信手段と、この信号受信手段により受信した信号を、予め設定されている信号の形態として解析し、自己の動作に反映する制御出力を出力する制御手段を有する換気装置について、その制御手段に予め設定されている信号の形態に加え、別の信号の形態の登録を可能とする学習機能を持たせ、別の信号の形態の登録後は、登録された信号の形態を調理機器から受信した場合においても決められた動作をするようにする手段を採用する。
【発明の効果】
【０００７】
本発明によれば、特定の調理機器のみならず、制御手段への信号の登録により別の調理機器が発信する固有の信号にも応じる機能を持つ、対応性のある換気装置が得られる。
【発明を実施するための最良の形態】
【０００８】
本発明の換気装置は、調理に付随して発生する油煙、湯気等を排出するもので、調理機器と連動するものである。換気装置自体の構成は、排気用送風機と油煙、湯気等を捕集するフードとからなり、排気用送風機の運転を制御する制御手段を備えている。制御手段には、特定の調理機器から発信される信号を受信する信号受信手段が接続されていて、制御手段は、信号受信手段により受信した信号を、予め設定されている信号の形態として解析し、排気用送風機の動作に反映する制御出力を出力する。制御手段には予め設定されている信号の形態に加え、別の信号の形態の登録を可能とする学習機能を持っている。別の信号の形態を登録した後は、登録された信号の形態を調理機器から受信した場合においても決められた動作をする。換気装置の動作を制御する信号を登録するには、制御手段を登録モードにし、登録する信号の形態を登録して登録を完了する。即ち、特定の調理機器のみならず、制御手段への信号の登録により別の調理機器が発信する固有の信号にも応じる機能を持つ換気装置となり、調理機器の取替えや選定を自由に行うことが可能になる。
【０００９】
実施の形態１．
図１〜図４によって示す本実施の形態は、調理に付随して発生する油煙、湯気等を排出する、調理機器と連動する換気装置に関するものである。図１は、換気装置と調理機器の設置形態を示す正面図、図２は、換気装置の電気系統のブロック構成図、図３は、信号登録のフローチャート、図４は換気装置の自動運転のフローチャートである。
【００１０】
本実施の形態の換気装置１は、調理に付随して発生する油煙、湯気等を排出するもので、調理機器２と連動するものである。換気装置１自体の構成は、排気用送風機と油煙、湯気等を捕集するフードとからなり、排気用送風機の運転を制御するマイクロコンピュータを持つ制御手段３を備えている。制御手段３には、特定の調理機器２から発信されるワイヤレスの信号を受信する信号受信手段４が接続されていて、制御手段３は、信号受信手段４により受信した信号を、予め設定されている信号の形態として解析し、排気用送風機のモータ５や照明器６等の動作に反映する制御出力を出力する（図２参照）。制御手段３には予め設定されている信号の形態に加え、別の信号の形態の登録を可能とする学習機能を持っている。
【００１１】
換気装置１の動作を制御する信号の登録は、図３のフローチャートによって示すように行われる。ステップ♯１で登録モードが起動されると、ステップ♯２において運転モードの選択（信号の登録）をし、運転モードの選択がされたか否かが判定される。選択されていればステップ♯３へ進み、選択されていなければステップ♯２を繰り返す。ステップ♯３では登録する信号を受信したか否かを判定する。受信したならステップ♯４で登録の可否を判定し、可であればステップ♯５で登録を完了する処理を行い、ステップ♯７へ進み、否であればステップ♯２に戻る。
【００１２】
ステップ♯３で受信していなければステップ♯６へ進み、運転モードの選択のキャンセルか否かを判定する。キャンセルであればステップ♯７へ進み、そうでなければステップ♯３へ戻る。ステップ♯７では他に登録する運転モードが有るか否かが判定され、他の運転モードが選択されたらステップ♯２へ戻り、一連の登録作業を行い、そうでなければ、ステップ♯８で登録モードを終了する。このようにして別の信号の形態を登録した後は、登録された信号の形態を調理機器２から受信した場合においても決められた動作をする。即ち、特定の調理機器２のみならず、制御手段３への信号の登録により別の調理機器２が発信する固有の信号にも応じる機能を持つ換気装置１となり、調理機器２の取替えや選定を自由に行うことが可能になる。
【００１３】
信号の登録モード以外の制御手段３の動作は、図４に示すフローチャートのとおりである。図４におけるステップ♯１で信号を受信したかどうかを判定し、受信したならステップ♯２へ進み、受信していなければステップ♯１へ戻る。ステップ♯２では受信した信号が予め設定されている信号か否かを判定し、予め設定されている信号であれば、ステップ♯３へ進み、そうでなければステップ♯４へ進む。ステップ♯３では設定された運転／停止・風量調整・照明の点灯／消灯等をする制御を行う。ステップ♯４では受信した信号が登録された信号か否かを判定する。登録された信号であれば、ステップ♯５で設定された運転／停止・風量調整・照明の点灯／消灯等をする制御を行い、登録された信号でなければ、受信した信号を破棄する処理を行う。
【００１４】
実施の形態２．
図５によって示す本実施の形態も、調理に付随して発生する油煙、湯気等を排出する、調理機器と連動する換気装置に関するもので、基本的構成は実施の形態１と同じである。従って、実施の形態１と同じ部分については同じ符号を用い、それらについての説明は省略する。
【００１５】
本実施の形態の換気装置１は、換気装置１の動作を制御する信号の登録について、変更や削除できる機能を持たせたものである。信号の登録、変更、削除は図５のフローチャートによって示すように行われる。ステップ♯１で登録モードが起動されると、ステップ♯２において運転モードの選択（信号の登録）をし、運転モードの選択がされたか否かが判定される。選択されていればステップ♯３へ進み、選択されていなければステップ♯２を繰り返す。ステップ♯３では、信号を登録するか削除・変更するかが選択され、登録であればステップ♯５へ進み、削除・変更であればステップ♯４へ進む。
【００１６】
ステップ♯４では信号の削除・変更の処理をしてステップ♯８へ進む。ステップ♯５では登録する信号を受信したか否かを判定する。受信したならステップ♯６で登録を完了する処理を行い、ステップ♯８へ進み、受信していなければステップ♯７へ進み、運転モードの選択のキャンセルか否かを判定する。キャンセルであればステップ♯８へ進み、そうでなければステップ♯３へ戻る。ステップ♯８では他に登録する運転モードが有るか否かが判定され、他の運転モードが選択されたらステップ♯２へ戻り、一連の登録作業を行い、そうでなければ、ステップ♯９で登録モードを終了する。このように、信号の登録、変更、削除をできることによって、信号の登録に係る作業の自由度が増し、利便性が増進する。これ以外の機能は、実施の形態１のものと同じである。
【００１７】
実施の形態３．
図６，７によって示す本実施の形態も、調理に付随して発生する油煙、湯気等を排出する、調理機器と連動する換気装置に関するもので、基本的構成は実施の形態１，２のものと同じである。従って、実施の形態１，２のものと同じ部分については同じ符号を用い、それらについての説明は省略する。
【００１８】
本実施の形態の換気装置１は、換気装置１の動作を制御する信号の登録について、変更や削除を含め、それらの事項を音声で報知する機能を持たせたものである。換気装置１の構成は、図６に示すように制御手段３に音声出力手段７が接続されている。本実施の形態の換気装置１も、換気装置１の動作を制御する信号の登録について、変更や削除できる機能を持っている。
【００１９】
即ち、信号の登録は、図７のフローチャートによって示すように行われる。ステップ♯１で登録モードが起動されると、ステップ♯２において運転モードの選択（信号の登録）をし、運転モードの選択がされたか否かが判定される。選択されていれば、それを音声で報知してステップ♯３へ進み、選択されていなければステップ♯２を繰り返す。ステップ♯３では、信号を登録するか削除・変更するかが選択され、登録であればステップ♯５へ進み、削除・変更であればステップ♯４へ進む。ステップ♯４では信号の削除・変更の処理と、それを音声出力手段で報知する処理をしてステップ♯８へ進む。ステップ♯５では登録する信号を受信したか否かを判定する。受信したならステップ♯６で登録を完了する処理を行い、登録を音声出力手段で報知する処理をしてステップ♯８へ進み、受信していなければステップ♯７へ進み、運転モードの選択のキャンセルか否かを判定する。キャンセルであればそれを音声で報知してステップ♯８へ進み、そうでなければステップ♯３へ戻る。
【００２０】
ステップ♯８では他に登録する運転モードが有るか否かが判定され、他の運転モードが選択されたらステップ♯２へ戻り、一連の登録作業を行い、そうでなければ、ステップ♯９で登録モードを終了する。このように、信号の登録、変更、削除を音声で報知できることによって、信号の登録に係る作業の簡便性が増す。
【００２１】
また、本実施の形態の換気装置には、制御手段３に外部機器（パソコン）８と通信線で繋いで通信できる機能も備えている。外部機器８を制御手段３に繋いで制御手段３の持っている制御情報を外部機器８のディスクトップに表示させたり、外部機器８から信号の登録、変更、削除を信号受信手段４を使わずに行うことができる。これ以外の機能は、実施の形態１，２のものと同じである。
【図面の簡単な説明】
【００２２】
【図１】換気装置と調理機器の設置形態を示す正面図である。（実施の形態１）
【図２】換気装置の電気系統のブロック構成図である。（実施の形態１）
【図３】換気装置の信号登録に係るフローチャートである。（実施の形態１）
【図４】換気装置の自動運転のフローチャートである。（実施の形態１）
【図５】換気装置の信号登録に係るフローチャートである。（実施の形態２）
【図６】換気装置の電気系統のブロック構成図である。（実施の形態３）
【図７】換気装置の信号登録に係るフローチャートである。（実施の形態３）
【符号の説明】
【００２３】
１  換気装置、  ２  調理機器、  ３  制御手段、  ４  信号受信手段、  ７  音声出力手段、  ８  外部機器。
【図１】
0004818771.tif 000002
【図２】
0004818771.tif 000003
【図３】
0004818771.tif 000004
【図４】
0004818771.tif 000005
【図５】
0004818771.tif 000006
【図６】
0004818771.tif 000007
【図７】
0004818771.tif 000008